(57)【要約】【課題】被清掃面側に押圧された状態でも当該被清掃面の清掃を効率良く行う。【解決手段】被清掃面Ｆを払拭する清掃用シートＳが取付けられ、被清掃面上で所定方向に移動させて被清掃面を払拭する清掃用ヘッド１であって、被清掃面側に設けられた第１部材１１と、第１部材の被清掃面側と反対側の少なくとも一部に当接するように設けられた第２部材１２と、を備えている。第２部材は、第１部材よりも相対的に硬い部材であり、第１部材との当接部における当該清掃用ヘッドの移動方向側の端部よりも移動方向上流側の部分に、移動方向側の端部よりも第１部材側に突出した凸部１２２が設けられ、第１部材は、被清掃面側の面が平面状に形成されるとともに、第２部材との当接部における当該清掃用ヘッドの移動方向側の端部よりも移動方向上流側の部分に、凸部に嵌合する凹部１１２が設けられている。【選択図】図２
2018051103.tif 000002
【特許請求の範囲】
【請求項１】
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられていることを特徴とする清掃用ヘッド。
【請求項２】
当該清掃用ヘッドは、前記被清掃面上で一方向及び前記一方向と反対方向となる他方向に往復移動させて前記被清掃面を払拭するものであり、
前記第２部材の前記第１部材との当接部における往復移動方向側の両端部の間の部分が、前記両端部よりも前記第１部材側に突出することで前記凸部を形成し、
前記第１部材の前記第２部材との当接部における前記往復移動方向側の両端部の間に、前記凹部が設けられていることを特徴とする請求項１に記載の清掃用ヘッド。
【請求項３】
当該清掃用ヘッドは、その長手方向に略直交する短手方向と略等しい方向に移動させて前記被清掃面を払拭可能であり、
前記凸部は、前記第２部材の前記第１部材との当接部における前記短手方向側の両端部の間に設けられ、
前記凹部は、前記第１部材の前記第２部材との当接部における前記短手方向側の両端部の間に設けられていることを特徴とする請求項１又は２に記載の清掃用ヘッド。
【請求項４】
当該清掃用ヘッドは、更に、前記長手方向と略等しい方向に移動させて前記被清掃面を払拭可能であり、
前記凸部は、前記第２部材の前記第１部材との当接部における前記長手方向側の両端部の間に設けられ、
前記凹部は、前記第２部材の前記第１部材との当接部における前記長手方向側の両端部の間に設けられていることを特徴とする請求項３に記載の清掃用ヘッド。
【請求項５】
前記第１部材は、前記第２部材に対して着脱自在に構成されていることを特徴とする請求項１〜４の何れか一項に記載の清掃用ヘッド。
【請求項６】
前記凸部の突出長を調整自在に構成されていることを特徴とする請求項１〜５の何れか一項に記載の清掃用ヘッド。
【請求項７】
請求項１〜６の何れか一項に記載の清掃用ヘッドと、
前記清掃用ヘッドの前記被清掃面と反対側に連結された柄と、を備えることを特徴とする清掃具。
【発明の詳細な説明】
【技術分野】
【０００１】
本発明は、被清掃面の塵埃や汚れなどを取り除く清掃用ヘッド及びこの清掃用ヘッドを備える清掃具に関する。
【背景技術】
【０００２】
従来、使用者が握るための柄を連結させたヘッド部に清掃用シートを取付け、床面等の被清掃面を払拭することで、当該被清掃面上の塵埃や汚れなどを清掃用シートに付着させて除去する掃除具が知られている。
この掃除具は、清掃用シートの被清掃面との接触面積がより広くなるように、ヘッド部の底面が平面状に形成されているのが好ましいが、その一方で、ヘッド部の底面が平面状であると被清掃面にこびり付いている汚れなどは除去し難くなってしまう。
【０００３】
そこで、ヘッド部の底面をその中央部分が下方（被清掃面側）に突出するように湾曲させ、被清掃面側に押圧されることによって平坦面とするように弾性変形可能に構成された清掃具がある（例えば、特許文献１参照）。
【先行技術文献】
【特許文献】
【０００４】
【特許文献１】特開２０１３−３４７６６号公報
【発明の概要】
【発明が解決しようとする課題】
【０００５】
しかしながら、上記特許文献１の場合、ヘッド部の底面が平坦面となるように清掃具に力を加えた状態で、当該清掃具を被清掃面上でモップのように所定方向に移動させると、主としてヘッド部の底面の移動方向側の縁部分が被清掃面上の塵埃や汚れなどの除去に用いられる。すなわち、ヘッド部の底面の周縁部以外の内側（より中央側）の部分は塵埃や汚れなどの除去にあまり寄与せず、被清掃面の清掃効率の低下を招いてしまうといった問題がある。
【０００６】
そこで、本発明の課題は、被清掃面側に押圧された状態でも当該被清掃面の清掃を効率良く行うことができる清掃用ヘッド及び清掃具を提供することである。
【課題を解決するための手段】
【０００７】
上記課題を解決するため、請求項１に記載の発明は、
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられていることを特徴としている。
【０００８】
請求項２に記載の発明は、請求項１に記載の清掃用ヘッドにおいて、
当該清掃用ヘッドは、前記被清掃面上で一方向及び前記一方向と反対方向となる他方向に往復移動させて前記被清掃面を払拭するものであり、
前記第２部材の前記第１部材との当接部における往復移動方向側の両端部の間の部分が、前記両端部よりも前記第１部材側に突出することで前記凸部を形成し、
前記第１部材の前記第２部材との当接部における前記往復移動方向側の両端部の間に、前記凹部が設けられていることを特徴としている。
【０００９】
請求項３に記載の発明は、請求項１又は２に記載の清掃用ヘッドにおいて、
当該清掃用ヘッドは、その長手方向に略直交する短手方向と略等しい方向に移動させて前記被清掃面を払拭可能であり、
前記凸部は、前記第２部材の前記第１部材との当接部における前記短手方向側の両端部の間に設けられ、
前記凹部は、前記第１部材の前記第２部材との当接部における前記短手方向側の両端部の間に設けられていることを特徴としている。
【００１０】
請求項４に記載の発明は、請求項３に記載の清掃用ヘッドにおいて、
当該清掃用ヘッドは、更に、前記長手方向と略等しい方向に移動させて前記被清掃面を払拭可能であり、
前記凸部は、前記第２部材の前記第１部材との当接部における前記長手方向側の両端部の間に設けられ、
前記凹部は、前記第２部材の前記第１部材との当接部における前記長手方向側の両端部の間に設けられていることを特徴としている。
【００１１】
請求項５に記載の発明は、請求項１〜４の何れか一項に記載の清掃用ヘッドにおいて、
前記第１部材は、前記第２部材に対して着脱自在に構成されていることを特徴としている。
【００１２】
請求項６に記載の発明は、請求項１〜５の何れか一項に記載の清掃用ヘッドにおいて、
前記凸部の突出長を調整自在に構成されていることを特徴としている。
【００１３】
請求項７に記載の発明は、清掃具であって、
請求項１〜６の何れか一項に記載の清掃用ヘッドと、
前記清掃用ヘッドの前記被清掃面と反対側に連結された柄と、を備えることを特徴としている。
【発明の効果】
【００１４】
本発明によれば、被清掃面側に押圧された状態でも当該被清掃面の清掃を効率良く行うことができる。
【図面の簡単な説明】
【００１５】
【図１】本発明を適用した一実施形態の清掃具を示す斜視図である。
【図２】図１の清掃具の清掃用ヘッドを説明するための図である。
【図３】図１の清掃具の清掃用ヘッドを説明するための図である。
【図４】変形例１の清掃用ヘッドを説明するための図である。
【図５】変形例２の清掃用ヘッドを説明するための図である。
【図６】凸部及び凹部の変形例を説明するための図である。
【図７】凸部の変形例を説明するための図である。
【発明を実施するための形態】
【００１６】
以下に、本発明について、図面を用いて具体的な態様を説明する。ただし、発明の範囲は、図示例に限定されない。
図１は、本発明を適用した一実施形態の清掃具１００を示す斜視図である。
【００１７】
清掃具１００は、例えば、床面等の被清掃面Ｆ（図２（ａ）等参照）上の塵埃や汚れなどを除去する清掃作業に用いられ、具体的には、図１に示すように、被清掃面Ｆを払拭する清掃用シートＳを取付け可能な清掃用ヘッド１に、使用者により握られる柄２が連結されて構成されている。
【００１８】
＜清掃用ヘッド＞
清掃用ヘッド１について、図２（ａ）〜図３（ｂ）を参照して詳細に説明する。
図２（ａ）は、図１のＡ−Ａ線における清掃用ヘッド１の断面図である。また、図２（ｂ）は、清掃用ヘッド１を底面側から視て模式的に示す図である。なお、図２（ｂ）にあっては、清掃用シートＳの図示は省略している。
また、図３（ａ）は、図１のＡ−Ａ線における清掃用ヘッド１の断面図であり、被清掃面Ｆ側に押圧された状態を模式的に示す図である。また、図３（ｂ）は、図３（ａ）の一点鎖線で囲繞した一部分を拡大して示す図であり、清掃用ヘッド１による被清掃面Ｆの清掃作業を説明するための図である。
なお、以下の説明では、被清掃面Ｆ側を下側とし、被清掃面Ｆと反対側を上側とする。また、清掃用ヘッド１の長手方向の一端側を左側、長手方向の他端側を右側、清掃用ヘッド１の長手方向に略直交する短手方向の一端側を前側、短手方向の他端側を後側とする。
【００１９】
清掃用ヘッド１は、例えば、平面視にて略矩形状をなし、所定の厚さを有するように形成され（図１参照）、具体的には、図２に示すように、被清掃面Ｆ側に設けられた第１部材１１と、この第１部材１１の上側（被清掃面Ｆ側と反対側）に当接するように設けられた第２部材１２と、この第２部材１２が取付部材１３を介して取付けられ、第１部材１１及び第２部材１２を収容するケース体１４とを備えている。
【００２０】
ケース体１４は、例えば、下端部全体が開口し、第１部材１１及び第２部材１２を上側から覆うように収容するものである。また、ケース体１４の前後両端部及び左右両端部には、階段状に形成された段差部１４１が設けられ、この段差部１４１の内側に略平板状の取付部材１３が取付け固定されている。
【００２１】
また、ケース体１４の被清掃面Ｆと反対側となる天面部１４２の略中央部には、柄連結部１４３が設けられている。この柄連結部１４３に柄２が取り付けられることによって、柄２が清掃用ヘッド１に対して前後方向及び左右方向の各軸周りに回動自在となっている。
また、天面部１４２の四隅には、シート固定部１４４、…がそれぞれ設けられている。このシート固定部１４４、…に清掃用シートＳの端部近傍が固定されることで清掃用ヘッド１に清掃用シートＳを取付け可能となっている。具体的には、清掃用ヘッド１の第１部材１１の下面１１３（後述）に清掃用シートＳをあてがい、下面１１３からはみ出ている部分をケース体１４の天面部１４２側に折り返してシート固定部１４４、…に挟み込むことにより、清掃用シートＳが取付けられた状態となる（図１等参照）。
【００２２】
ここで、清掃用シートＳについて説明する。
清掃用シートＳは、例えば、清掃用ヘッド１の形状に合わせて長手方向に長尺な矩形状に形成されている。具体的には、清掃用シートＳの寸法は、例えば、３０ｃｍ×２０ｃｍ等の一般的な寸法となっている。
また、清掃用シートＳは、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００２３】
取付部材１３の下面に、第２部材１２の上面全体を当接させて当該第２部材１２が取付け固定されている。
ここで、第２部材１２の取付け固定は、例えば、公知の所定の接着剤やネジ止め等により行われるが、一例であってこれに限られるものではなく、適宜任意に変更可能である。
【００２４】
第２部材１２は、例えば、清掃用ヘッド１の底面側から視て略矩形状に形成され、具体的には、前後方向及び左右方向の長さが取付部材１３と略等しくなっている。
また、第２部材１２の下面部１２１は、第１部材１１との当接部を構成し、この下面部１２１には、第１部材１１側に突出した凸部１２２が設けられている。具体的には、第２部材１２の下面部１２１の前後方向（短手方向）側の前後両端部の間、且つ、左右方向（長手方向）側の左右両端部の間となる中央部分が、これら前後両端部並びに左右両端部よりも第１部材１１側に突出することで凸部１２２が形成されている（図２（ｂ）参照）。また、凸部１２２の下面部１２１からの突出長は、前後方向及び左右方向に亘って略等しくなっている。すなわち、凸部１２２は、前後方向に所定の幅を有し、左右方向に亘って長尺な略直方体状に形成されている。
なお、図２（ｂ）にあっては、凸部１２２を破線で模式的に表している。
【００２５】
ここで、清掃用ヘッド１は、被清掃面Ｆ上で所定方向（例えば、前方向等）に移動させて被清掃面Ｆを払拭するものであり、より具体的には、被清掃面Ｆ上で一方向（例えば、前方向や左方向等）及び一方向と反対方向となる他方向（例えば、後方向や右方向等）に往復移動させて被清掃面Ｆを払拭するものである。つまり、清掃用ヘッド１は、短手方向（前後方向）や長手方向（左右方向）と略等しい方向に往復移動させて被清掃面Ｆを払拭可能となっている。
そして、凸部１２２は、第２部材１２の下面部１２１における清掃用ヘッド１の移動方向側の端部よりも移動方向上流側（例えば、移動方向が前方向である場合、前端部よりも後側等）の部分に、移動方向側の端部よりも第１部材１１側に突出して形成されている。すなわち、第２部材１２の下面部１２１における往復移動方向側の両端部（例えば、前後両端部や左右両端部）の間の中央部分によって凸部１２２が形成されている。
【００２６】
また、第２部材１２は、第１部材１１（後述）よりも相対的に硬い部材である。すなわち、第２部材１２は、例えば、ポリプロピレン（ＰＰ）等の熱可塑性樹脂で形成されているのに対して、第１部材１１は、例えば、スチレン系やオレフィン系の熱可塑性エラストマー、ポリウレタン樹脂、エチレン・酢酸ビニル重合体（ＥＶＡ）等から形成されている。
なお、第１部材１１及び第２部材１２の素材は、後述するように、当該清掃用ヘッド１が被清掃面Ｆ側に押圧された状態での第１部材１１の変形度合を考慮して選択されるのが好ましく、例えば、互いに異なる組成で形成された複数の第１部材１１を用意しておき、清掃の用途等に応じて付替え可能な構成としても良い。
【００２７】
第１部材１１は、例えば、清掃用ヘッド１の底面側から視て略矩形状に形成され、具体的には、前後方向及び左右方向の長さが第２部材１２と略等しくなっている。つまり、第１部材１１と第２部材１２とは、上下方向に略重なり合った状態でケース体１４の内側に収容されている。
また、第１部材１１の上面部１１１は、第２部材１２との当接部を構成し、この上面部１１１には、第２部材１２の凸部１２２に嵌合する凹部１１２が設けられている。具体的には、第１部材１１の上面部１１１の前後方向（短手方向）側の前後両端部の間、且つ、左右方向（長手方向）側の左右両端部の間にて、当該上面部１１１が被清掃面Ｆ側に座刳られて凹部１１２が形成されている。
すなわち、凹部１１２は、前後方向に所定の幅を有し、左右方向に亘って長尺に形成され、前後方向及び左右方向に亘って略等しい深さを有する溝状に形成されている。具体的には、凹部１１２の前後方向の幅は、凸部１２２の前後方向の幅と略等しいか、この幅よりもわずかに大きくなっている。また、凹部１１２の左右方向の幅は、凸部１２２の左右方向の幅と略等しいか、この幅よりもわずかに大きくなっている。また、凹部１１２の深さは、凸部１２２の突出長と略等しいか、この突出長よりもわずかに大きくなっている。
【００２８】
ここで、清掃用ヘッド１を短手方向（前後方向）や長手方向（左右方向）と略等しい方向に往復移動させて被清掃面Ｆを払拭する場合、第１部材１１の上面部１１１における清掃用ヘッド１の移動方向側の端部よりも移動方向上流側（例えば、移動方向が前方向である場合、前端部よりも後側等）の部分に、第２部材１２の凸部１２２に嵌合する凹部１１２が設けられている。すなわち、第１部材１１の上面部１１１における往復移動方向側の両端部（例えば、前後両端部や左右両端部）の間に、凹部１１２が形成されている。
【００２９】
第１部材１１と第２部材１２との取付け固定は、例えば、第１部材１１の凹部１１２に第２部材１２の凸部１２２を嵌合させた状態で当接する面どうし（第１部材１１の上面部１１１と第２部材１２の下面部１２１や凹部１１２の上面と凸部１２２の下面等）を公知の所定の接着剤等を用いて行われるが、一例であってこれに限られるものではなく、適宜任意に変更可能である。
【００３０】
また、第１部材１１の被清掃面Ｆ側となる下面１１３は、平面状に形成されている。これにより、例えば、清掃用ヘッド１を清掃用シートＳを介して被清掃面Ｆに当接させただけで当該清掃用ヘッド１が被清掃面Ｆ側に押圧されていない状態では（図２（ａ）参照）、当該清掃用ヘッド１に取り付けられた清掃用シートＳの被清掃面Ｆ側となる底面（清掃面）全体が被清掃面Ｆに接触可能となっている。
一方、例えば、清掃作業等の際に清掃用ヘッド１が被清掃面Ｆ側に押圧された状態では（図３（ａ）及び図３（ｂ）参照）、第２部材１２の方が第１部材１１よりも相対的に硬い部材であるため、第１部材１１の方が変形し易くなる。ここで、第１部材１１は、凹部１１２に対応する部分の厚さ（上下方向の長さ）が第２部材１２の凸部１２２の分だけ薄くなっているため、上面部１１１の前後方向側の前後両端部や左右方向側の左右両端部等の凹部１１２以外の部分よりも上下方向の変形の自由度が小さくなっている。このため、被清掃面Ｆ側に加えられる力が大きくなると、第１部材１１の下面１１３のうち、凹部１１２に対応する部分は清掃用シートＳを介して略全体が被清掃面Ｆに接触可能となる一方で、前後方向側の前後両端部側ほど、また、左右方向側の左右両端部側ほど被清掃面Ｆよりも浮き上がって、清掃用シートＳと被清掃面Ｆとの間に空間が生じる。
【００３１】
＜清掃具の使用方法＞
次に、清掃具１００の使用方法について説明する。
なお、以下の説明では、使用者は、清掃用ヘッド１をその短手方向（前後方向）と略等しい方向に往復移動させて清掃作業を行うものとする。
【００３２】
使用者は、先ず、清掃用ヘッド１に清掃用シートＳを取り付ける。このとき、清掃用シートＳは、清掃用ヘッド１の第１部材１１の下面１１３と接する部分が下面１１３との間に隙間を生じさせることなく、また、下面１１３からはみ出て折り返される部分が余剰部分を生じさせないようにシート固定部１４４に挟み込まれるのが好ましい。
【００３３】
その後、使用者は、清掃用シートＳが装着された清掃具１００の柄２を握り、清掃用ヘッド１を被清掃面Ｆ上でモップのように一方向（例えば、前方向）に移動させる場合（図３（ａ）参照）、清掃用ヘッド１にその移動方向に対して斜め下向きに力が加えられ、当該清掃用ヘッド１が被清掃面Ｆ側に押圧された状態となる。この状態では、第１部材１１の下面１１３のうち、移動方向側となる前端部側ほど被清掃面Ｆよりも浮き上がって、清掃用シートＳと被清掃面Ｆとの間に空間が生じる。また、第１部材１１の下面１１３のうち、凹部１１２に対応する部分は清掃用シートＳを介して略全体が被清掃面Ｆに接触する。
そして、清掃用ヘッド１を被清掃面Ｆ上で一方向に移動させていくことで、被清掃面Ｆ上の塵埃や汚れなどが清掃用シートＳと被清掃面Ｆとの間に生じた空間に入り込み、清掃用シートＳに付着されて除去される。
【００３４】
なお、清掃用ヘッド１が被清掃面Ｆ側に押圧された状態では、第１部材１１の下面１１３のうち、左右方向側の左右両端部側についても同様に清掃用シートＳと被清掃面Ｆとの間に空間を生じさせるが、当該清掃用ヘッド１の移動方向に対して略直交する方向であり、被清掃面Ｆ上の塵埃や汚れなどの除去に積極的には活用されない。
【００３５】
また、図示は省略するが、清掃用ヘッド１の往復移動にて、当該清掃用ヘッド１を被清掃面Ｆ上で一方向と反対方向となる他方向（例えば、後方向）に移動させる場合にも、同様に、清掃用ヘッド１にその移動方向に対して斜め下向きに力が加えられ、当該清掃用ヘッド１が被清掃面Ｆ側に押圧された状態となる。そして、第１部材１１の下面１１３のうち、移動方向側となる後端部側ほど被清掃面Ｆよりも浮き上がって、清掃用シートＳと被清掃面Ｆとの間に空間が生じる。
清掃用ヘッド１を被清掃面Ｆ上で他方向に移動させていくことで、被清掃面Ｆ上の塵埃や汚れなどが清掃用シートＳと被清掃面Ｆとの間に生じた空間に入り込み、清掃用シートＳに付着されて除去される。
【００３６】
以上のように、本実施形態の清掃具１００によれば、被清掃面Ｆ側に設けられた第１部材１１の被清掃面Ｆ側と反対側に当接するように設けられた第２部材１２は、第１部材１１よりも相対的に硬い部材であり、第１部材１１との当接部（下面部１２１）における当該清掃用ヘッド１の移動方向側の端部よりも移動方向上流側の部分に、移動方向側の端部よりも第１部材１１側に突出した凸部１２２が設けられ、第１部材１１は、被清掃面Ｆ側の面が平面状に形成されるとともに、第２部材１２との当接部（上面部１１１）における当該清掃用ヘッド１の移動方向側の端部よりも移動方向上流側の部分に、凸部１２２に嵌合する凹部１１２が設けられているので、被清掃面Ｆ上で所定方向に移動させて被清掃面Ｆを清掃用ヘッド１で払拭する際に、当該清掃用ヘッド１が被清掃面Ｆ側に押圧されると、第１部材１１の下面１１３のうち、移動方向側の端部側が被清掃面Ｆよりも浮き上がって清掃用シートＳと被清掃面Ｆとの間に空間を生じさせ、生じた空間に被清掃面Ｆ上の塵埃や汚れなどが入り込み、清掃用シートＳに付着させて除去することができる。
このように、被清掃面Ｆ側に押圧された状態で、第１部材１１の下面１１３の移動方向側の端部よりも移動方向上流側（より中央側）の部分を塵埃や汚れなどの除去に寄与させることができ、被清掃面Ｆの清掃を効率良く行うことができる。
【００３７】
具体的には、第２部材１２の第１部材１１との当接部（下面部１２１）における往復移動方向側の両端部（例えば、短手方向側の両端部や長手方向側の両端部）の間の部分が、この両端部よりも第１部材１１側に突出することで凸部１２２を形成し、第１部材１１の第２部材１２との当接部（上面部１１１）における往復移動方向側の両端部の間に、凹部１１２が設けられているので、当該清掃用ヘッド１を、被清掃面Ｆ上で一方向及び一方向と反対方向となる他方向に往復移動させて被清掃面Ｆを払拭する際に、被清掃面Ｆ側に押圧された状態で、第１部材１１の下面１１３の往復移動方向側の両端部の間（より中央側）の部分を塵埃や汚れなどの除去に寄与させることができ、被清掃面Ｆの清掃を効率良く行うことができる。
【００３８】
なお、本発明は、上記実施形態に限定されることなく、本発明の趣旨を逸脱しない範囲において、種々の改良並びに設計の変更を行っても良い。
以下に、清掃具１００の変形例について説明する。ここで、以下に説明する以外の点は、上記実施形態の清掃具１００と略同様の構成及び機能をなし、その具体的な説明は省略する。
【００３９】
＜変形例１＞
以下に、変形例１の清掃用ヘッド１Ａについて、図４（ａ）及び図４（ｂ）を参照して説明する。
図４（ａ）は、変形例１の清掃用ヘッド１Ａを示す斜視図であり、図４（ｂ）は、図４（ａ）のＢ−Ｂ線における清掃用ヘッド１Ａの断面図である。なお、図４（ａ）及び図４（ｂ）にあっては、清掃用シートＳの図示は省略している。
【００４０】
変形例１の清掃用ヘッド１Ａは、図４（ａ）及び図４（ｂ）に示すように、第１部材１１Ａが第２部材１２Ａに対して着脱自在に構成されている。
なお、この変形例１は、清掃用ヘッド１Ａを短手方向（前後方向）と略等しい方向に往復移動させて行う清掃作業を想定したものであるが、一例であってこれに限られるものではなく、清掃用ヘッド１Ａの移動方向に応じて第１部材１１Ａや第２部材１２Ａの形状等を適宜任意に変更可能である。
【００４１】
すなわち、第２部材１２Ａの前後方向側の前後両端部には、例えば、所定の厚さを有する鍔状の係止部１２３が左右方向に亘ってそれぞれ形成されている。また、第２部材１２Ａには、その左右方向側の左右両端部に亘るように凸部１２２Ａが形成されている。
一方、第１部材１１Ａの前後方向側の前後両端部には、例えば、係止部１２３の形状に対応する鉤状の被係止部１１４が左右方向に亘ってそれぞれ形成されている。この被係止部１１４は、例えば、前端部側の断面形状が右側から視て略逆「コ」字状であり、後端部側の断面形状が右側から視て略「コ」字状である。また、第１部材１１Ａには、その左右方向側の左右両端部に亘るように凹部１１２Ａが形成されている。
【００４２】
また、ケース体１４の右側面部に開口部１４５が形成されており、第２部材１２Ａに対して着脱される第１部材１１Ａの移動空間が確保されている。
【００４３】
したがって、変形例１によれば、例えば、清掃の用途等に応じて用意されている複数の第１部材１１の中から所望のものに付替えたり、使用済みの第１部材１１を未使用のものに付替えたりする際に、第２部材１２Ａに対する第１部材１１Ａの着脱作業をより容易に行うことができる。
【００４４】
なお、上記した第１部材１１Ａを第２部材１２Ａに対して着脱自在とする構成は、一例であってこれに限られるものではない。例えば、上記した係止部１２３と被係止部１１４との係止構造や上記実施形態の接着等に代えて、凸部の外形寸法に対して凹部の内形寸法をわずかに小さくするか、或いは、略等しくすることで、凸部の外面と凹部との内面との摩擦力を利用して、第１部材を第２部材に取付けるようにしても良い。
【００４５】
＜変形例２＞
以下に、変形例２の清掃用ヘッド１Ｂについて、図５（ａ）及び図５（ｂ）を参照して説明する。
図５（ａ）は、変形例２の清掃用ヘッド１Ｂの図１のＡ−Ａ線に対応する断面図であり、図５（ｂ）は、図５（ａ）の一点鎖線で囲繞した一部分を拡大して示す図である。
【００４６】
変形例２の清掃用ヘッド１Ｂは、図５（ａ）及び図５（ｂ）に示すように、第２部材１２Ｂの凸部１２２Ｂの突出長を調整自在に構成されている。
【００４７】
すなわち、第２部材１２Ｂは、その本体部１２４と凸部１２２Ｂとが別体で形成され、本体部１２４に対して凸部１２２Ｂの取付け位置を上下方向に調整可能となっている。
具体的には、本体部１２４の略中央部には、開口部１２５が形成され、その内縁部に凹凸部１２５Ａが形成されている。また、凸部１２２Ｂは、開口部１２５の内形と略等しい外形を有し、その外縁部に凹凸部１２２Ｃが形成されている。
本体部１２４の開口部１２５の凹凸部１２５Ａと凸部１２２Ｂの凹凸部１２２Ｃとは、互いに噛み合う波形形状に形成され、係合位置を調整自在となっている（図５（ｂ）参照）。例えば、凸部１２２Ｂの突出長を小さく（短く）したい場合には、第１部材１１Ｂを第２部材１２Ｂから取り外して、凸部１２２Ｂの下面側から当該凸部１２２Ｂが上方向に押圧されることで、本体部１２４に対して凸部１２２Ｂを上方向に移動させる。一方、凸部１２２Ｂの突出長を大きく（長く）したい場合には、第２部材１２Ｂを取付部材１３から取り外して、凸部１２２Ｂの上面側から当該凸部１２２Ｂが下方向に押圧されることで、本体部１２４に対して凸部１２２Ｂを下方向に移動させる。
なお、図５（ｂ）には、本体部１２４に対して凸部１２２Ｂを上方向に移動させた状態を二点鎖線で模式的に表している。
【００４８】
また、第１部材１１Ｂを第２部材１２Ｂから取り外したり、第２部材１２Ｂを取付部材１３から取り外したりした場合には、それぞれ再度接着等により固定することが望ましい。或いは、ケース体１４の外側から凸部１２２Ｂの上下方向の位置を調整するための操作部（図示略）を具備することで、上記したような第１部材１１Ｂや第２部材１２Ｂの取り外し作業や再度の接着作業を不要とすることができる。
【００４９】
また、取付部材１３の凸部１２２Ｂや本体部１２４の開口部１２５に対応する位置に、開口部１３Ａが形成され、本体部１２４に対して上方向に移動する凸部１２２Ｂの移動空間が確保されている。
【００５０】
したがって、変形例２によれば、例えば、清掃の用途等に応じて凸部１２２Ｂの突出長を調整することができ、これにより、当該清掃用ヘッド１Ｂが被清掃面Ｆ側に押圧された状態で、第１部材１１Ｂの下面１１３のうち、移動方向側の端部側が被清掃面Ｆよりも浮き上がることで生じさせる清掃用シートＳと被清掃面Ｆとの間の空間の大きさを調整することができる。すなわち、清掃用シートＳと被清掃面Ｆとの間の空間に対する被清掃面Ｆ上の塵埃や汚れなどの入り込み易さを調整することができ、塵埃や汚れなどを清掃用シートＳに効率良く付着させて除去することができる。
【００５１】
また、上記した実施形態や各変形例で例示した凸部１２２や凹部１１２の形状や位置は、一例であってこれに限られるものではなく、適宜任意に変更可能である。
図６（ａ）〜図６（ｇ）は、凸部１２２や凹部１１２の変形例を模式的に示す図であり、図１のＡ−Ａ線に対応する断面図である。また、図７（ａ）〜図７（ｅ）は、凸部１２２の変形例を模式的に示す第２部材１２の底面図である。
【００５２】
例えば、凸部１２２が下側に凸の円弧状に形成され、この凸部１２２の形状に対応するように凹ませて凹部１１２が形成されていても良い（図６（ａ）参照）。また、凸部１２２の下端部（先端部）が尖頭状に形成され、この凸部１２２の形状に対応するように凹ませて凹部１１２が形成されていても良い（図６（ｂ）参照）。また、断面楕円形の一部分を有する形状の凸部１２２が形成され、この凸部１２２の下端側（先端側）の部分の形状に対応するように凹ませて凹部１１２が形成されていても良く、この場合には、第１部材１１の上面と第２部材１２の下面との間に空間が形成される（図６（ｃ）参照）。また、凸部１２２が断面波形形状で複数形成され、この凸部１２２の形状に対応するように凹ませて凹部１１２が形成されていても良い（図６（ｄ）参照）。また、突出長が小さい凸部１２２が前後両端部に、且つ、突出長が大きい凸部１２２が略中央部に形成され、これら凸部１２２の形状に対応するように凹ませて凹部１１２が形成されていても良い（図６（ｅ）参照）。また、凸部１２２が断面矩形形状で複数形成され、この凸部１２２の形状に対応するように凹ませて凹部１１２が形成されていても良い（図６（ｆ）参照）。また、前後方向の中央側ほど突出長を大きくした階段状の凸部１２２が形成され、この凸部１２２の形状に対応するように凹ませて凹部１１２が形成されていても良い（図６（ｇ）参照）。
【００５３】
また、平面視菱形形状の凸部１２２が第２部材１２の左右方向に複数（例えば、３つ）並んで形成されていても良い（図７（ａ）参照）。また、平面視横長の「十」字状の凸部１２２が形成されていても良い（図７（ｂ）参照）。また、平面視波形形状の凸部１２２が第２部材１２の左右方向に亘って形成されていても良い（図７（ｃ）参照）。また、平面視楕円形状をなす環状の凸部１２２が形成されていても良い（図７（ｄ）参照）。また、前後方向及び左右方向の各々の中央側に凸の円弧状の曲線を組み合わせた凸部１２２が形成されていても良い（図７（ｅ）参照）。
【００５４】
なお、清掃用ヘッド１、１Ａ、１Ｂの構成は、一例であってこれらに限られるものではない。例えば、取付部材１３は必ずしも具備する必要はなく、ケース体１４の内側に第２部材１２、１２Ａ、１２Ｂを直接取付けるようにしても良い。
【００５５】
また、上記した実施形態や各変形例では、被清掃面Ｆ上で往復移動させて当該被清掃面Ｆを払拭する清掃作業に対応させた清掃用ヘッド１を例示したが、一例であってこれに限られるものではなく、例えば、清掃用ヘッド１は、被清掃面Ｆ上で所定の一方向に移動させて被清掃面Ｆを払拭する構成であっても良い。
【符号の説明】
【００５６】
１００  清掃具
１、１Ａ、１Ｂ  清掃用ヘッド
１１、１１Ａ、１１Ｂ  第１部材
１１    上面部（当接部）
１１２、１１２Ａ  凹部
１２、１２Ａ、１２Ｂ  第２部材
１２１  下面部（当接部）
１２２、１２２Ａ、１２２Ｂ  凸部
２      柄
Ｓ      清掃用シート
【図１】
2018051103.tif 000003
【図２】
2018051103.tif 000004
【図３】
2018051103.tif 000005
【図４】
2018051103.tif 000006
【図５】
2018051103.tif 000007
【図６】
2018051103.tif 000008
【図７】
2018051103.tif 000009
【手続補正書】
【提出日】平成29年8月4日(2017.8.4)
【手続補正１】
【補正対象書類名】明細書
【補正対象項目名】０００７
【補正方法】変更
【補正の内容】
【０００７】
上記課題を解決するため、請求項１に記載の発明は、
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、
前記第１部材と、前記第２部材と、を上側から覆うように収容し、上面に柄連結部と、シート固定部と、が設けられたケース体と、
を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられていることを特徴としている。
請求項２に記載の発明は、
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられ、
前記凸部の突出長を調整自在に構成されていることを特徴としている。
【手続補正２】
【補正対象書類名】明細書
【補正対象項目名】０００８
【補正方法】変更
【補正の内容】
【０００８】
請求項３に記載の発明は、請求項１又は２に記載の清掃用ヘッドにおいて、
当該清掃用ヘッドは、前記被清掃面上で一方向及び前記一方向と反対方向となる他方向に往復移動させて前記被清掃面を払拭するものであり、
前記第２部材の前記第１部材との当接部における往復移動方向側の両端部の間の部分が、前記両端部よりも前記第１部材側に突出することで前記凸部を形成し、
前記第１部材の前記第２部材との当接部における前記往復移動方向側の両端部の間に、前記凹部が設けられていることを特徴としている。
【手続補正３】
【補正対象書類名】明細書
【補正対象項目名】０００９
【補正方法】変更
【補正の内容】
【０００９】
請求項４に記載の発明は、請求項１〜３のいずれか一項に記載の清掃用ヘッドにおいて、
当該清掃用ヘッドは、その長手方向に略直交する短手方向と略等しい方向に移動させて前記被清掃面を払拭可能であり、
前記凸部は、前記第２部材の前記第１部材との当接部における前記短手方向側の両端部の間に設けられ、
前記凹部は、前記第１部材の前記第２部材との当接部における前記短手方向側の両端部の間に設けられていることを特徴としている。
【手続補正４】
【補正対象書類名】明細書
【補正対象項目名】００１０
【補正方法】変更
【補正の内容】
【００１０】
請求項５に記載の発明は、請求項４に記載の清掃用ヘッドにおいて、
当該清掃用ヘッドは、更に、前記長手方向と略等しい方向に移動させて前記被清掃面を払拭可能であり、
前記凸部は、前記第２部材の前記第１部材との当接部における前記長手方向側の両端部の間に設けられ、
前記凹部は、前記第２部材の前記第１部材との当接部における前記長手方向側の両端部の間に設けられていることを特徴としている。
【手続補正５】
【補正対象書類名】明細書
【補正対象項目名】００１１
【補正方法】変更
【補正の内容】
【００１１】
請求項６に記載の発明は、請求項１〜５の何れか一項に記載の清掃用ヘッドにおいて、
前記第１部材は、前記第２部材に対して着脱自在に構成されていることを特徴としている。
【手続補正６】
【補正対象書類名】明細書
【補正対象項目名】００１２
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、
前記第１部材と、前記第２部材と、を上側から覆うように収容し、上面に柄連結部と、シート固定部と、が設けられたケース体と、
を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられていることを特徴とする清掃用ヘッド。
【請求項２】
被清掃面を払拭する清掃用シートが取付けられ、前記被清掃面上で所定方向に移動させて前記被清掃面を払拭する清掃用ヘッドであって、
前記被清掃面側に設けられた第１部材と、
前記第１部材の前記被清掃面側と反対側の少なくとも一部に当接するように設けられた第２部材と、を備え、
前記第２部材は、前記第１部材よりも相対的に硬い部材であり、前記第１部材との当接部における当該清掃用ヘッドの移動方向側の端部よりも前記移動方向上流側の部分に、前記移動方向側の端部よりも前記第１部材側に突出した凸部が設けられ、
前記第１部材は、前記被清掃面側の面が平面状に形成されるとともに、前記第２部材との当接部における当該清掃用ヘッドの移動方向側の端部よりも前記移動方向上流側の部分に、前記凸部に嵌合する凹部が設けられ、
前記凸部の突出長を調整自在に構成されていることを特徴とする清掃用ヘッド。
【請求項３】
当該清掃用ヘッドは、前記被清掃面上で一方向及び前記一方向と反対方向となる他方向に往復移動させて前記被清掃面を払拭するものであり、
前記第２部材の前記第１部材との当接部における往復移動方向側の両端部の間の部分が、前記両端部よりも前記第１部材側に突出することで前記凸部を形成し、
前記第１部材の前記第２部材との当接部における前記往復移動方向側の両端部の間に、前記凹部が設けられていることを特徴とする請求項１又は２に記載の清掃用ヘッド。
【請求項４】
当該清掃用ヘッドは、その長手方向に略直交する短手方向と略等しい方向に移動させて前記被清掃面を払拭可能であり、
前記凸部は、前記第２部材の前記第１部材との当接部における前記短手方向側の両端部の間に設けられ、
前記凹部は、前記第１部材の前記第２部材との当接部における前記短手方向側の両端部の間に設けられていることを特徴とする請求項１〜３のいずれか一項に記載の清掃用ヘッド。
【請求項５】
当該清掃用ヘッドは、更に、前記長手方向と略等しい方向に移動させて前記被清掃面を払拭可能であり、
前記凸部は、前記第２部材の前記第１部材との当接部における前記長手方向側の両端部の間に設けられ、
前記凹部は、前記第２部材の前記第１部材との当接部における前記長手方向側の両端部の間に設けられていることを特徴とする請求項４に記載の清掃用ヘッド。
【請求項６】
前記第１部材は、前記第２部材に対して着脱自在に構成されていることを特徴とする請求項１〜５の何れか一項に記載の清掃用ヘッド。
【請求項７】
請求項１〜６の何れか一項に記載の清掃用ヘッドと、
前記清掃用ヘッドの前記被清掃面と反対側に連結された柄と、を備えることを特徴とする清掃具。